(57)【要約】【課題】本体部を上向き姿勢で使用する際のフィルターの目詰まりを防止することができる電気掃除機を得る。【解決手段】本体部６内に空気と共に塵埃を吸引する電動送風機４が設けられている。塵埃分離部１０が本体部６に着脱自在に装着されている。姿勢検出器２５が本体部６の姿勢を検出する。制御回路２４が電動送風機４の運転を制御する。手元スイッチ９が電動送風機４の運転を制御回路２４に指示する。塵埃分離部１０は、旋回室１６と、集塵室１８ａ，１８ｂと、集塵室１８ａ，１８ｂの上部に設けられたフィルター１９とを有する。塵埃分離部１０が本体部６に装着された状態でフィルター１９が集塵室１８ａ，１８ｂの下方に位置するような本体部６の上向き姿勢を姿勢検出器２５が検出した場合に、制御回路２４は手元スイッチ９からの指示に関わらず電動送風機４の運転を開始させない。【選択図】図５
2016131575.tif 000002
【特許請求の範囲】
【請求項１】
本体部と、
前記本体部内に設けられ、空気と共に塵埃を吸引する電動送風機と、
前記本体部に着脱自在に装着された塵埃分離部と、
前記本体部の姿勢を検出する姿勢検出器と、
前記電動送風機の運転を制御する制御回路と、
前記電動送風機の運転を前記制御回路に指示する入力部とを備え、
前記塵埃分離部は、
吸引した前記空気を旋回させて前記空気から前記塵埃を分離する旋回室と、
前記旋回室により分離された前記塵埃を捕集する集塵室と、
前記集塵室の上部に設けられ、前記集塵室に前記塵埃を残したまま前記空気を通すフィルターとを有し、
前記塵埃分離部が前記本体部に装着された状態で前記フィルターが前記集塵室の下方に位置するような前記本体部の上向き姿勢を前記姿勢検出器が検出した場合に、前記制御回路は前記入力部からの指示に関わらず前記電動送風機の運転を開始させないことを特徴とする電気掃除機。
【請求項２】
報知部を更に備え、
前記電動送風機が運転を停止した状態で前記姿勢検出器が前記上向き姿勢を検出した場合に、前記入力部から前記電動送風機の動作を指示されると前記制御回路は前記報知部に異常状態を報知させることを特徴とする請求項１に記載の電気掃除機。
【請求項３】
報知部を更に備え、
前記電動送風機が運転を停止した状態で前記姿勢検出器が前記上向き姿勢を検出した場合に、前記制御回路は前記報知部に異常状態を報知させることを特徴とする請求項１に記載の電気掃除機。
【請求項４】
前記電動送風機が運転している場合には前記姿勢検出器が前記上向き姿勢を検出しても前記制御回路は前記電動送風機の運転を停止させないことを特徴とする請求項１〜３の何れか１項に記載の電気掃除機。
【請求項５】
前記集塵室内の塵埃量を検出する塵埃検出器を更に備え、
前記塵埃検出器により前記塵埃量が閾値よりも少ないと検出された場合は、前記姿勢検出器が前記上向き姿勢を検出しても、前記制御回路は前記電動送風機の運転を開始させない制御を行わないことを特徴とする請求項１〜４の何れか１項に記載の電気掃除機。
【発明の詳細な説明】
【技術分野】
【０００１】
本発明は、サイクロン式の電気掃除機に関する。
【背景技術】
【０００２】
サイクロン式の電気掃除機は旋回室により塵埃を分離して捕集する（例えば、特許文献１参照）。
【先行技術文献】
【特許文献】
【０００３】
【特許文献１】特開２００３−７０７０６号公報
【発明の概要】
【発明が解決しようとする課題】
【０００４】
高所の掃除をする時など、電気掃除機の本体部を上向き姿勢の状態にすると、集塵室の上部に設けられたフィルターが集塵室の下方に位置することになる。この上向き姿勢の状態で運転を開始した場合、集塵室内の塵埃が重力によってフィルターにたまってしまう。これによりフィルターが目詰まりして吸引力が低下するという問題があった。
【０００５】
本発明は、上述のような課題を解決するためになされたもので、その目的は本体部を上向き姿勢で使用する際のフィルターの目詰まりを防止することができる電気掃除機を得るものである。
【課題を解決するための手段】
【０００６】
本発明に係る電気掃除機は、本体部と、前記本体部内に設けられ、空気と共に塵埃を吸引する電動送風機と、前記本体部に着脱自在に装着された塵埃分離部と、前記本体部の姿勢を検出する姿勢検出器と、前記電動送風機の運転を制御する制御回路と、前記電動送風機の運転を前記制御回路に指示する入力部とを備え、前記塵埃分離部は、吸引した前記空気を旋回させて前記空気から前記塵埃を分離する旋回室と、前記旋回室により分離された前記塵埃を捕集する集塵室と、前記集塵室の上部に設けられ、前記集塵室に前記塵埃を残したまま前記空気を通すフィルターとを有し、前記塵埃分離部が前記本体部に装着された状態で前記フィルターが前記集塵室の下方に位置するような前記本体部の上向き姿勢を前記姿勢検出器が検出した場合に、前記制御回路は前記入力部からの指示に関わらず前記電動送風機の運転を開始させないことを特徴とする。
【発明の効果】
【０００７】
本発明では本体部の上向き姿勢を検出した場合に入力部からの指示に関わらず電動送風機の運転を開始させない。これにより、本体部を上向き姿勢で使用する際のフィルターの目詰まりを防止することができる。
【図面の簡単な説明】
【０００８】
【図１】本発明の実施の形態に係る電気掃除機を示す斜視図である。
【図２】本発明の実施の形態に係る掃除機本体を示す側面図である。
【図３】本発明の実施の形態に係る充電台を示す斜視図である。
【図４】本発明の実施の形態に係る電気掃除機の塵埃分離部の内部構成を示す断面図である。
【図５】本発明の実施の形態に係る電気掃除機を示すブロック図である。
【図６】本発明の実施の形態に係る電気掃除機の制御回路による制御を示すフローチャートである。
【発明を実施するための形態】
【０００９】
図１は本発明の実施の形態に係る電気掃除機を示す斜視図である。電気掃除機１は掃除機本体２と充電台３を備える。掃除機本体２は直立した状態で充電台３に載置される。
【００１０】
図２は本発明の実施の形態に係る掃除機本体を示す側面図である。掃除機本体２は、電動送風機４と、電動送風機４に電力を供給する二次電池５とを有するコードレスタイプのスティック型（縦型）電気掃除機である。
【００１１】
掃除機本体２の本体部６は外観円柱形状に構成され、その内部に電動送風機４、二次電池５、制御回路基板７などが設けられている。把持部８は、使用者が清掃時に把持するための取っ手であって本体部６の前側面に設けられている。使用者が電動送風機４の入力切替や充電モードの切り替えを行うための手元スイッチ９が把持部８に設けられている。
【００１２】
塵埃分離部１０は、本体部６の下面側に着脱自在に装着され、本体部６と同径の外観円柱形状に構成されている。接続管１１は本体部６の下面部から下方に向かって延びた通風管である。接続管１１の下端に吸入具１２が設けられている。
【００１３】
電動送風機４は、吸入具１２から接続管１１を通して空気と共に塵埃を吸引する。塵埃分離部１０は旋回室を備えたサイクロン式であり、旋回室により塵埃を分離して捕集する。
【００１４】
図３は本発明の実施の形態に係る充電台を示す斜視図である。充電台３は電源ケーブル１３によって外部電源に接続される。掃除機本体２が充電台３に載置されると、両者の電気的接続部１４，１５が電気的に接続され、充電台３は掃除機本体２の二次電池５に充電電流を供給する。
【００１５】
図４は本発明の実施の形態に係る電気掃除機の塵埃分離部の内部構成を示す断面図である。旋回室１６は吸引口１７ａから吸引した空気を旋回させて空気から塵埃を分離する。集塵室１８ａ，１８ｂは旋回室１６により分離された塵埃を捕集する。フィルター１９は、集塵室１８ａ，１８ｂの上部に設けられ、集塵室１８ａ，１８ｂに塵埃を残したまま空気を通す。具体的には、旋回室１６は、上側が円筒状、下側が円錐状に形成されている。塵埃の混ざった気流が、円筒部分の内周面に沿って旋回室１６内部に流入する。流入した気流は、旋回室１６内部を旋回しながら円錐部分へらせん状に流下する。この際に、旋回室１６内を回転しながら流れる大きなゴミ（綿ゴミ等）は遠心力により開口１７ｂから旋回室１６の外側に排出されて、旋回室１６の周囲を取り囲む集塵室１８ａに入り込み、保持される。大きなゴミが排出された旋回気流は円錐部分に差し掛かり、更に遠心力が増すことで細かいごみと気流が分離される。細かいごみは、旋回室１６の下端の開口１７ｃから集塵室１８ｂへ排出される。塵埃が分離された気流は、旋回室１６の中心（旋回中心）部分を上昇して、排出口より旋回室１６内部から排出されてフィルター１９に至る。塵埃検出器２０が集塵室１８ａ，１８ｂ内の塵埃量を検出する。塵埃検出器２０は、発光部２１と、発光部２１からの光を反射する反射板２２と、その反射光を受ける受光部２３とを有する反射型の光センサである。なお、塵埃検出器２０は透過型の光センサでもよい。
【００１６】
図５は本発明の実施の形態に係る電気掃除機を示すブロック図である。制御回路２４と姿勢検出器２５が本体部６内の制御回路基板７に設けられている。姿勢検出器２５は本体部６の姿勢を検出する三軸加速度センサである。使用者は手元スイッチ９により電動送風機４の運転を制御回路２４に指示する。制御回路２４は、手元スイッチ９からの指示と塵埃検出器２０及び姿勢検出器２５の検出結果に基づいて電動送風機４の運転を制御する。また、制御回路２４は報知部２６に異常状態を報知させる。報知部２６はＬＥＤランプなどである。
【００１７】
図６は本発明の実施の形態に係る電気掃除機の制御回路による制御を示すフローチャートである。電動送風機４が運転しているかどうかを確認する（ステップＳ１）。電動送風機４が運転を停止している場合は、塵埃検出器２０により検出した塵埃量が閾値より多いかどうかを確認する（ステップＳ２）。塵埃量が閾値より多い場合は、塵埃分離部１０が本体部６に装着された状態でフィルター１９が集塵室１８ａ，１８ｂの下方に位置するような本体部６の上向き姿勢を姿勢検出器２５が検出したかどうかを確認する（ステップＳ３）。
【００１８】
ステップＳ３において上向き姿勢を検出しない場合は、制御回路２４は手元スイッチ９からの指示があれば電動送風機４の運転を開始させる（ステップＳ４）。一方、上向き姿勢を検出した場合は、制御回路２４は手元スイッチ９からの指示に関わらず電動送風機４の運転を開始させない（ステップＳ５）。さらに、制御回路２４は、手元スイッチ９から電動送風機４の動作を指示されると報知部２６に異常状態を報知させるか、又は、手元スイッチ９からの指示が無くても報知部２６に異常状態を報知させる（ステップＳ６）。
【００１９】
電動送風機４が運転している場合には姿勢検出器２５が上向き姿勢を検出しても制御回路２４は電動送風機４の運転を停止させない（ステップＳ７）。また、塵埃検出器２０により塵埃量が閾値よりも少ないと検出された場合は、姿勢検出器２５が上向き姿勢を検出しても、制御回路２４は電動送風機４の運転を開始させない制御を行わない（ステップＳ８）。
【００２０】
以上説明したように、本実施の形態では本体部６の上向き姿勢を検出した場合に手元スイッチ９からの指示に関わらず電動送風機４の運転を開始させない。これにより、本体部６を上向き姿勢で使用する際のフィルター１９の目詰まりを防止することができる。また、電動送風機４が運転を停止した状態で上向き姿勢を検出した場合に異常状態を報知することで、使用者に注意を喚起することができる。
【００２１】
また、電動送風機４が運転している場合には旋回室１６内に気流が発生し、集塵室１８ｂに貯められた細かいごみは気流により集塵室１８ｂの方向に押さえつけられている。このため、本体部６を上向き姿勢にしても集塵室１８ｂから旋回室１６内部を介してフィルター１９の方向に逆流することはなく、フィルター１９の目詰まりは発生しない。そこで、本体部６を上向き姿勢にしている場合には制御回路２４は電動送風機４の運転を停止させない。従って、事前に電源を入れてから本体部６を上向き姿勢にすることで、高所を掃除することができる。一方、電動送風機４が運転していない場合には旋回気流が無く、細かいごみを集塵室１８ｂに押さえつける力が働かないので、上向き姿勢ならば電動送風機４の運転を開始させない。
【００２２】
また、１８ａ，１８ｂ内の塵埃量が少ない場合にはフィルター１９の目詰まりの問題が生じないため、この場合には上向き姿勢を検出しても制御回路２４は電動送風機の運転を開始させない制御を行わない。
【００２３】
なお、制御回路２４は、メモリに記憶されたプログラムを実行するＣＰＵ、システムＬＳＩ等の処理回路により実現される。また、複数の処理回路が連携して上記機能を実行してもよい。
【符号の説明】
【００２４】
１  電気掃除機、２  掃除機本体、３  充電台、４  電動送風機、６  本体部、９  手元スイッチ（入力部）、１０  塵埃分離部、１６  旋回室、１８ａ，１８ｂ  集塵室、１９  フィルター、２０  塵埃検出器、２４  制御回路、２５  姿勢検出器、２６  報知部
【図１】
2016131575.tif 000003
【図２】
2016131575.tif 000004
【図３】
2016131575.tif 000005
【図４】
2016131575.tif 000006
【図５】
2016131575.tif 000007
【図６】
2016131575.tif 000008